(57)【要約】【課題】伝送する情報の欠落がなく伝送品質を維持でき、一次群インタフェースの伝送速度と同一の伝送速度で独立した非同期クロックによる伝送を行う。【解決手段】マルチフレームの同期検出を行う一次群マルチフレーム検出回路１１１と、マルチフレームのフレームビットをフレーム同期ビットに割り当て、一次群インタフェースより低いビットレートでサブマルチフレームを生成するサブマルチフレーム生成回路１１２と、サブマルチフレームを多重してスタッフマルチフレームを生成するスタッフマルチフレーム生成回路１１５とを備える。【選択図】        図１
2006005862.tif 000002
【特許請求の範囲】
【請求項１】
入力される一次群インタフェースの所定数のマルチフレームの同期検出を行う一次群マルチフレーム検出手段と、
前記一次群マルチフレーム検出手段により検出された前記マルチフレームのフレームビットをフレーム同期ビットに割り当て、前記一次群インタフェースのビットレートに対して低いビットレートでサブマルチフレームを生成するサブマルチフレーム生成手段と、
前記サブマルチフレーム生成手段により生成されたサブマルチフレームを多重してスタッフマルチフレームを生成するスタッフマルチフレーム生成手段と、
前記スタッフマルチフレーム生成手段により生成されたスタッフマルチフレームを伝送路に送信する送信手段と、を備え、
前記スタッフマルチフレーム生成手段は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成することを特徴とするスタッフ同期制御装置。
【請求項２】
伝送路を介して受信したスタッフマルチフレームの同期検出を行い、スタッフ制御ビットを抽出するスタッフマルチフレーム検出手段と、
前記スタッフマルチフレーム検出手段により抽出されたスタッフ制御ビットが示すスタッフ制御情報に対応したデスタッフ化を行い、サブマルチフレームを同期検出して当該サブマルチフレームの実データを取り出すサブマルチフレーム検出手段と、
前記サブマルチフレーム検出手段により検出されたサブマルチフレームに、前記一次群インタフェースの所定数のマルチフレームのデータチャンネルの位置の情報と、対局警報転送情報とを付加して前記一次群マルチフレームを再生する一次群マルチフレーム再生手段と、
を備えたことを特徴とするスタッフ同期制御装置。
【請求項３】
伝送路を介してスタッフマルチフレームを受信する受信手段と、
前記受信手段により受信された所定数のスタッフマルチフレームのフレームビットの情報を抽出するスタッフマルチフレーム検出手段と、
前記スタッフマルチフレーム検出手段により検出された前記スタッフマルチフレームを前記一次群インタフェースと同一のビットレートであって独立した非同期クロックに基づいて再スタッフマルチフレーム化するスタッフマルチフレーム生成手段と、
前記スタッフマルチフレーム生成手段により生成されたスタッフマルチフレームを伝送路に送信する送信手段と、
を備えたことを特徴とする中継装置。
【請求項４】
送信側の伝送中継端局装置と、伝送路上に設けられる中継装置と、受信側の伝送中継端局装置とを備え、スタッフ同期制御を行いスタッフマルチフレームを伝送するデータ中継システムにおいて、
前記送信側の伝送中継端局装置は、
入力される一次群インタフェースの所定数のマルチフレームの同期検出を行う一次群マルチフレーム検出手段と、
前記一次群マルチフレーム検出手段により検出された前記マルチフレームのフレームビットをフレーム同期ビットに割り当て、前記一次群インタフェースのビットレートに対して低いビットレートでサブマルチフレームを生成するサブマルチフレーム生成手段と、
前記サブマルチフレーム生成手段により生成されたサブマルチフレームを多重してスタッフマルチフレームを生成するスタッフマルチフレーム生成手段と、
前記スタッフマルチフレーム生成手段により生成されたスタッフマルチフレームを伝送路に送信する送信手段とを備え、
前記スタッフマルチフレーム生成手段は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成するものであり、
前記中継装置は、
前記伝送路を介して前記送信側の伝送中継端局装置から送信された前記スタッフマルチフレームを受信する受信手段と、
前記受信手段により受信された所定数のスタッフマルチフレームのフレームビットの情報を抽出するスタッフマルチフレーム検出手段と、
前記スタッフマルチフレーム検出手段により検出された前記スタッフマルチフレームを前記一次群インタフェースと同一のビットレートであって独立した非同期クロックに基づいて再スタッフマルチフレーム化するスタッフマルチフレーム生成手段と、
前記スタッフマルチフレーム生成手段により生成されたスタッフマルチフレームを伝送路に送信する送信手段とを備え、
前記受信側の伝送中継端局装置は、
前記伝送路を介して前記中継装置から送信されたスタッフマルチフレームの信号を受信して当該スタッフマルチフレームの同期検出を行い、スタッフ制御ビットを抽出するスタッフマルチフレーム検出手段と、
前記スタッフマルチフレーム検出手段により抽出されたスタッフ制御ビットが示すスタッフ制御情報に対応したデスタッフ化を行い、サブマルチフレームを同期検出して当該サブマルチフレームの実データを取り出すサブマルチフレーム検出手段と、
前記サブマルチフレーム検出手段により検出されたサブマルチフレームに、前記一次群インタフェースの所定数のマルチフレームのデータチャンネルの位置の情報と、対局警報転送情報とを付加して前記一次群マルチフレームを再生する一次群マルチフレーム再生手段と、
を備えたことを特徴とするデータ中継システム。
【請求項５】
入力される一次群インタフェースの所定数のマルチフレームの同期検出を行う一次群マルチフレーム検出工程と、
前記一次群マルチフレーム検出工程により検出された前記マルチフレームのフレームビットをフレーム同期ビットに割り当て、前記一次群インタフェースのビットレートに対して低いビットレートでサブマルチフレームを生成するサブマルチフレーム生成工程と、
前記サブマルチフレーム生成工程により生成されたサブマルチフレームを多重してスタッフマルチフレームを生成するスタッフマルチフレーム生成工程と、
前記スタッフマルチフレーム生成工程により生成されたスタッフマルチフレームを伝送路に送信する送信工程と、を含み、
前記スタッフマルチフレーム生成工程は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成することを特徴とするスタッフ同期制御方法。
【発明の詳細な説明】
【技術分野】
【０００１】
この発明は、スタッフ同期制御に関し、特に、ディジタルデータ伝送システムの一次群インタフェースを独立したクロックを用いて伝送中継する一次群インタフェース間のスタッフ同期制御装置、中継装置、データ中継システムおよびスタッフ同期制御方法に関する。
【背景技術】
【０００２】
従来、スタッフ同期方式は、データ多重装置に使用されており、入力される低次群データのビットレートよりも高いビットレートで同期化を行うようになっている。スタッフ制御は、同期化するデータ側に余分なダミーデータを挿入するスタッフビット領域を設けたり、スタッフ制御領域を確保するようになっていた。このため、同期化するクロック周波数は、入力される低次群データのクロックより高い周波数でなければスタッフ同期できなかった。
【０００３】
同期化するクロック周波数と、入力される一次群インタフェースのクロック周波数を同じ公称値のもので乗せ替える技術として、ＰＣＭ同期多重化方式が開示されている（例えば、下記特許文献１参照。）。この技術は、一次群インタフェースの２４チャンネルあるデータチャンネルのうち、１チャンネルをスタッフ制御に割り当ててスタッフ同期を実現し、非同期のデータ通信を可能とするものである。
【０００４】
【特許文献１】特開昭５２−１５３３１７号公報
【発明の開示】
【発明が解決しようとする課題】
【０００５】
しかしながら、ディジタル伝送において、一次群インタフェースを独立したクロックを用いる伝送中継装置で伝送する際、スタッフ制御を行うには、１．５４４Ｍｂｉｔ／ｓより高速な伝送速度を持つ伝送中継装置が必要となり、伝送速度が一次群インタフェースと同一の１．５４４Ｍｂｉｔ／ｓである中継装置では非同期通信が行えない。
【０００６】
また、特許文献１に記載の技術では、同じ伝送速度でスタッフ制御を行うために、２４チャンネルあるデータチャンネルのうち少なくとも１チャンネルをスタッフ制御信号の伝送用に割り当てているため、伝送可能な情報容量を著しく低下させる。
【０００７】
この発明は、上述した従来技術による問題点を解消するため、伝送する情報の欠落がなく伝送品質を維持でき、一次群インタフェースの伝送速度と同一の伝送速度を有して独立した非同期クロックによる伝送が行えるスタッフ同期制御装置、中継装置、データ中継システムおよびスタッフ同期制御方法を提供することを目的とする。
【課題を解決するための手段】
【０００８】
上述した課題を解決し、目的を達成するため、この発明にかかるスタッフ同期制御装置は、入力される一次群インタフェースの所定数のマルチフレームの同期検出を行う一次群マルチフレーム検出手段と、前記一次群マルチフレーム検出手段により検出された前記マルチフレームのフレームビットをフレーム同期ビットに割り当て、前記一次群インタフェースのビットレートに対して低いビットレートでサブマルチフレームを生成するサブマルチフレーム生成手段と、前記サブマルチフレーム生成手段により生成されたサブマルチフレームを多重してスタッフマルチフレームを生成するスタッフマルチフレーム生成手段と、前記スタッフマルチフレーム生成手段により生成されたスタッフマルチフレームを伝送路に送信する送信手段と、を備え、前記スタッフマルチフレーム生成手段は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成することを特徴とする。
【０００９】
この発明によれば、入力された一次群インタフェースのデータ全チャンネルを、独立した非同期クロックを用いて一次群インタフェースの伝送速度と同一の伝送速度で伝送することができ、後段では入力された一次群インタフェースの再生が行えるようになる。そして、限定されたフレームビット領域を有効に利用してスタッフ制御を行うため、独立した非同期クロックを有する伝送中継が可能となる。特に、全チャンネルの実データと共に、ＣＲＣビットや対局警報等の情報を伝送することができ、データ伝送の品質向上を図ることができる。
【発明の効果】
【００１０】
本発明にかかるスタッフ同期制御装置、中継装置、データ中継システムおよびスタッフ同期制御方法によれば、入力された一次群インタフェースのデータ全チャンネルを、独立したクロックを用いて非同期で伝送し、後段では入力された一次群インタフェースの再生が行えるようになる。また、限定されたフレームビット領域を有効に利用してスタッフ制御を行うため、独立した非同期クロックを有する伝送中継が可能となる。特に、全チャンネルの実データと共に、ＣＲＣビットや対局警報等の情報を伝送することができ、データ伝送の品質向上を図ることができるという効果を奏する。
【発明を実施するための最良の形態】
【００１１】
以下に添付図面を参照して、この発明にかかるスタッフ同期制御装置、中継装置、データ中継システムおよびスタッフ同期制御方法の好適な実施の形態を詳細に説明する。
【００１２】
（実施の形態１）
図１は、この発明のスタッフ同期制御装置の構成を示すブロック図である。スタッフ同期制御装置１００は、送信スタッフ部１０２と、伝送中継装置（送信側）１０３と、伝送中継装置（受信側）１０５と、受信デスタッフ部１０６とにより構成される。送受信の伝送中継装置１０３，１０５の間には、伝送路１０４が設けられる。１０１は、送信スタッフ部１０２の入力端子であり、１０７は受信デスタッフ部１０６の出力端子である。
【００１３】
送信スタッフ部１０２は、一次群マルチフレーム検出回路１１１と、サブマルチフレーム生成回路１１２と、メモリ１１３と、スタッフ制御回路１１４と、スタッフマルチフレーム生成回路１１５とによって構成されている。入力端子１０１より供給される信号は、一次群インタフェース（１．５４４Ｍｂｉｔ／ｓディジタルハイアラーキインタフェース）２４マルチフレームデータである。スタッフ制御回路１１４は、メモリ１１３に対して入出力（書き込みおよび読み出し）するデータ量を比較し、後述するスタッフ制御を行い、スタッフマルチフレーム生成回路１１５におけるスタッフマルチフレームの生成を制御する。
【００１４】
送信側の伝送中継装置１０３は、送信スタッフ部１０２から出力されたスタッフマルチフレームデータを増幅して送信する送信回路１３１と、一次群インタフェース（１．５４４Ｍｂｉｔ／ｓ）に対して独立した周波数（１．５４４Ｍｂｉｔ／ｓ）の発振信号を供給する発振部１３２とを有している。発振部１３２の発振信号は、スタッフマルチフレーム生成回路１１５に供給される。
【００１５】
受信側の伝送中継装置１０５は、伝送路１０４を介して受信したスタッフマルチフレームデータを受信する受信回路１５１を有する。
【００１６】
受信デスタッフ部１０６は、スタッフマルチフレーム検出回路１６１と、メモリ１６２と、ＰＬＬ回路１６３と、サブマルチフレーム検出回路１６４と、一次群マルチフレーム再生回路１６５とにより構成されている。ＰＬＬ回路１６３は、サブマルチフレーム検出回路１６４に対して入出力するデータ量を比較し、一次群マルチフレーム再生回路１６５における一次群マルチフレームの生成を制御する。この際、ＰＬＬ回路１６３は、サブマルチフレーム検出回路１６４に対してサブマルチフレームの再生クロックが１．５４４Ｍｂｉｔ／ｓとなるように制御を行う。サブマルチフレーム検出回路１６４は、メモリ１６２から読み出したサブマルチフレームの同期検出を行う。一次群マルチフレーム再生回路１６５は、一次群インタフェース（１．５４４Ｍｂｉｔ／ｓディジタルハイアラーキインタフェース）の２４マルチフレームを再生して、出力端子１０７から出力する。
【００１７】
送信スタッフ部１０２に設けられた一次群マルチフレーム検出回路１１１は、入力された信号に対する２４マルチフレーム同期検出を行い、サブマルチフレーム生成回路１１２に対して、データと、マルチフレーム同期タイミングを出力する。
【００１８】
ここで、スタッフ同期制御装置が取り扱う信号について説明する。図２−１は、一次群インタフェースの２４マルチフレームを示す図表である。この２４マルチフレーム２００は、入力端子１０１から入力される信号であり、図には、マルチフレーム（ＭＦ１〜２４）のうち、ＭＦ１の内容を詳細に示した。一つのフレームＭＦ１は、制御用のフレームビット（Ｆビット）２０１と、タイムスロット（ＴＳ１〜２４）ビットにより構成される。ＴＳ１ビットは、８ビット（Ｂ１〜Ｂ８）により構成されている。一つのフレームＭＦ１におけるＴＳ２〜２４は、ペイロードであり、実データが格納される。
【００１９】
また、図２−２は、一次群インタフェースの２４マルチフレームのフォーマットを示す図表である。２４マルチフレーム（ＭＦ１〜２４）のＦビット２０１は、フレーム同期ビットＦＡＳ２０１ａ、対局警報情報ビットＤＬ２０１ｂ、チェックビットＣＲＣ２０１ｃ、のいずれかに使用される。例えば、ＭＦ１ではＦビット２０１をＤＬ２０１ｂ用とし、ＭＦ２ではＦビット２０１をＣＲＣ２０１ｃ用とし、ＭＦ４ではＦビット２０１をＦＡＳ２０１ａ用としている。
【００２０】
図３−１は、サブマルチフレームを示す図表である。サブマルチフレーム生成回路１１２によって生成されるサブマルチフレーム３００を示した。図示のように、奇数のマルチフレーム（ＭＦ１，３，５，…，２３）についてはＦビット３０１ａをメモリ１１３に書き込まず、偶数のマルチフレーム（ＭＦ２，４，６，…，２４）についてのみＦビット３０１ｂをメモリ１１３に書き込む。
【００２１】
また、図３−２は、サブマルチフレームフォーマットを示す図表である。サブマルチフレーム生成回路１１２は、２４マルチフレームのＤＬビット（４Ｋｂｉｔ／ｓ）に該当する１２ビットを取り除いた残り１２ビットにサブマルチフレーム同期信号と、対局警報用転送ビットＳを割り当てる。すなわち、サブマルチフレーム生成回路１１２では、図２−２に示した２４マルチフレーム２００のＦビット２０１における対局警報情報ビットＤＬ（図中奇数のマルチフレーム（ＭＦ１，３，５，…，２３の対局警報情報ビットＤＬの各ｍのビット））２０１ｂを取り除く。そして、偶数のマルチフレーム（ＭＦ２，４，６，…，２４）については、Ｆビット３０１ａの合計１２ビットのうち１１ビットにフレーム同期ビットＦＡＳ２０１ａを割り当て、残りの１ビットを対局警報用転送ビットＳとして割り当てる。図３−２の例では、フレーム同期ビットＦＡＳ２０１ａは、ＭＦ２〜２２の各１ビットを用いて「１０００１１０１１１０」として設定した例である。対局警報用転送ビットＳは、通常時がＳ＝０であり、対局警報時にＳ＝１に変化する。
【００２２】
これにより、サブマルチフレーム生成回路１１２は、２４マルチフレーム（ＭＦ）をペイロードのデータチャンネルを含めてわずかに低いビットレート（１．５４０Ｍｂｉｔ／ｓ）でサブマルチフレーム３００として生成する。対局警報用転送ビットＳは、入力された一次群インタフェースの２４マルチフレーム２００内の対局警報情報ビットＤＬ２０１ｂを１ビットにまとめ、伝送路１０４を介した対向局（伝送中継装置１０５）に転送するためのものである。そして、このサブマルチフレーム生成回路１１２は、図３−１に示したフレームビットの一部（Ｆビット３０１ａ）を取り除いたデータをサブマルチフレーム３００のデータとしてメモリ１１３に書き込む。
【００２３】
スタッフ制御回路１１４は、メモリ１１３に書き込まれたデータ量と、スタッフマルチフレームフォーマット（後述する図４−１参照）からフレームビットの数ビットを除いたデータ量との比較を行う。そして、メモリ１１３に書き込まれたデータが多い場合は、負スタッフ時のスタッフ制御を行う。負スタッフ時には、フレームビット（Ｆビット４０１）上に用意されたデータ挿入ビットＪ１（図４−２参照）に、メモリ１１３からの読み出したデータを１クロック余分に読み出して挿入する。
【００２４】
一方、メモリ１１３に書き込まれたデータが少ない場合は、正スタッフのスタッフ制御を行う。正スタッフ時には、メモリ１１３からの読み出しを１クロック少なくし、データ内のスタッフ挿入ビットＪ２（図４−１参照）にダミーデータを挿入する。これら負スタッフおよび正スタッフのスタッフ制御により、メモリ１１３のデータ量を調整して、読み出されたサブマルチフレームデータをスタッフマルチフレームフォーマット内にスタッフ多重することが可能となる。
【００２５】
スタッフマルチフレーム生成回路１１５では、サブマルチフレーム生成回路１１２によって２４マルチフレームビットから取り除いたビット数を用いてスタッフ制御信号を構成する。そして、スタッフ制御回路１１４により判定されたスタッフ制御信号を含んだスタッフマルチフレームを、送信側の伝送中継装置１０３に設けられた発振部１３２のクロックを用いて１．５４４Ｍｂｉｔ／ｓの速度で生成する。
【００２６】
図４−１は、スタッフマルチフレームの一例を示す図表である。サブマルチフレーム生成回路１１２において、上記のように取り除いたＦビット３０１ｂを１２ビットとした場合には、スタッフマルチフレーム同期ビットと、スタッフ制御ビットと、負スタッフ時のデータ格納ビットの格納用のビットが不足する。このため、図４−１に示すように、１フレームを３８５ビットとして２４マルチフレームの構成にする。この３８５ビットは、図３−１に示した奇数のマルチフレーム（ＭＦ１，３，５，…，２３）のビット数１９２ビットと、偶数のマルチフレーム（ＭＦ２，４，６，…，２４）のビット数１９３ビットとを加算したビット数である。
【００２７】
これにより、スタッフマルチフレーム４００のフレームビット（Ｆビット）数として２４ビットを確保することができる。対応して、マルチフレーム周期は、３ｍｓｅｃの倍の６ｍｓｅｃとなり、スタッフ可能な周波数偏差が３３３Ｈｚから１６７Ｈｚとなり、スタッフ率が低下する。これに対応するため、スタッフマルチフレーム４００では、一つのマルチフレーム中に２回のスタッフ制御を行う。
【００２８】
図示の例のスタッフマルチフレーム４００のうち、ＭＦ１〜１１と、ＭＦ１３〜２３までの計２２フレームは、１ビットのＦビット４０１と、３８５ビットのサブマルチフレームデータ４０２ａとにより構成されている。ＭＦ１２と、ＭＦ２４の計２フレームは、図示のように、１ビットのＦビット４０１と、３８４ビットのサブマルチフレームデータ４０２ｂと、スタッフ挿入ビットＪ２（４０３）とにより構成されている。このスタッフ挿入ビットＪ２（４０３）は、２４マルチフレーム内に２箇所設けられ、スタッフ制御１回目と、２回目の正スタッフ時におけるスタッフ（ダミーデータ）挿入ビットが挿入される位置である。
【００２９】
図４−２は、スタッフマルチフレームフォーマットの一例を示す図表である。スタッフマルチフレーム４００内における制御ビットの設定内容について説明する。Ｆビット４０１内には、データ挿入ビットＪ１が設けられる。このデータ挿入ビットＪ１は、２４マルチフレーム内のＭＦ１１と、ＭＦ２３の２箇所に設けられる。スタッフ制御１回目と、２回目の負スタッフ時の余りデータは、このデータ挿入ビットＪ１に挿入される。
【００３０】
また、２４マルチフレームのＦビット４０１には、フレーム同期ビットＦＡＳ２０１ａと、スタッフ制御ビット４１０（Ｃ１１、Ｃ１２、Ｃ２１、Ｃ２２、ＰＣ）とが割り当てられている。フレーム同期ビットＦＡＳ２０１ａは、上述同様に、合計１１ビットの「１０００１１０１１１０」である。なお、Ｄは未使用のビットである。スタッフ制御ビット４１０（Ｃ１１、Ｃ１２、Ｃ２１、Ｃ２２、ＰＣ）は、２回のスタッフ制御に対応して、２４マルチフレーム内に２箇所（該当するマルチフレーム番号は、ＭＦ１，３，５，７，９とＭＦ１３，１５，１７，１９，２１）の計１０ビット設定され、スタッフ制御１回目の制御結果４１０ａと、２回目のスタッフ制御結果４１０ｂが格納される。図示の例では２回のスタッフ制御を行う例である。２回のスタッフ制御により、スタッフ可能な周波数偏差は３３３Ｈｚとすることができる。なお、１回のスタッフ制御も可能であるが、この場合の周波数偏差は１６７Ｈｚとなり、スタッフ率が低下する。
【００３１】
図４−３は、スタッフ制御ビットに割り当てるスタッフ制御結果の一例を示す図表である。２回のスタッフ制御時の使用例を示す。Ｃ１１，Ｃ１２，Ｃ２１，Ｃ２２によりスタッフ制御ビット４１０を形成する。図示の例では、送信時は、Ｃ１１，Ｃ１２と、Ｃ２１，Ｃ２２は同じ値が格納される。Ｃ１１，Ｃ１２（Ｃ２１，Ｃ２２）が“１０”のときは正スタッフ制御、Ｃ１１，Ｃ１２（Ｃ２１，Ｃ２２）が“０１”のときはスタッフ無し制御、Ｃ１１，Ｃ１２（Ｃ２１，Ｃ２２）が“００”のときは負スタッフ制御を表す。ＰＣは、Ｃ１１，Ｃ１２とのパリティ計算値（ここで奇パリティとしている）を表す。このようなスタッフ制御ビット４１０を使用することによって、受信側ではスタッフ制御ビット４１０に１ビット以下の誤りが発生していたときに多数決判断が可能となり、デスタッフ誤りを防ぐことが可能となる。
【００３２】
そして、受信デスタッフ部１０６に入力された信号は、スタッフマルチフレーム検出回路１６１によりスタッフマルチフレーム同期検出が行われ、スタッフ制御ビット４１０を抽出する。抽出されたスタッフ制御ビット４１０が負スタッフであれば、スタッフマルチフレーム４００に格納されたデータを１クロック分余分にメモリ１６２に書き込む。一方、正スタッフであればスタッフ挿入ビットＪ２の値をメモリ１６２に書き込まずに破棄する。
【００３３】
ＰＬＬ回路１６３は、受信したスタッフ制御ビット４１０の正スタッフ、負スタッフ、スタッフ無しの制御により抽出されたサブマルチフレームデータのデータ量を元に位相比較を行う。そして、送信元の入力端子１０１に入力された一次群インタフェース（１．５４４Ｍｂｉｔ／ｓディジタルハイアラーキインタフェース）のクロックを再生する。
【００３４】
サブマルチフレーム検出回路１６４は、上記の再生クロックでサブマルチフレームデータ量に値する分のデータをメモリ１６２から読み出す。これにより、サブマルチフレームデータのペイロードから実データ（内部のデータチャンネルと対局警報用転送ビットＳ）が抽出される。この後、一次群マルチフレーム再生回路１６５によって一次群インタフェースの２４マルチフレームのフレームビットを付加し、出力端子１０７から出力する。
【００３５】
図５は、実施の形態１による送信側の処理を示すフローチャートである。はじめに、一次群マルチフレーム検出回路１１１により、一次群インタフェースの２４マルチフレームのマルチフレームの同期検出を行う（ステップＳ５０１）。次に、サブマルチフレーム生成回路１１２は、２４マルチフレームビット（Ｆビット）のうち一部のビットを取り除き、わずかに低いビットレート（１．５４０Ｍｂｉｔ／ｓ）でサブマルチフレームデータを形成する（ステップＳ５０２）。この後、サブマルチフレーム生成回路１１２は、サブマルチフレームデータをメモリ１１３に書き込む（ステップＳ５０３）。
【００３６】
次に、スタッフ制御回路１１４は、メモリ１１３の書き込みデータのデータ量と、読み出しデータ量の比較を行う（ステップＳ５０４）。そして、書き込みデータのデータ量と、読み出しデータのデータ量とが一致したときには（ステップＳ５０４：ＣＡＳＥ１）、スタッフ制御を行わず（ステップＳ５０５）、ステップＳ５０８に移行する。また、書き込みデータのデータ量よりも読み出しデータのデータ量の方が多い場合には（ステップＳ５０４：ＣＡＳＥ２）、正スタッフ制御を行い（ステップＳ５０６）、ステップＳ５０８に移行する。正スタッフ制御では、スタッフマルチフレームのスタッフ挿入ビットＪ２にダミーデータを挿入する。また、書き込みデータのデータ量の方が読み出しデータのデータ量よりも多いときには（ステップＳ５０４：ＣＡＳＥ３）、負スタッフ制御を行い（ステップＳ５０７）、ステップＳ５０８に移行する。負スタッフ制御では、スタッフマルチフレームのデータ挿入ビットＪ１にメモリ１１３から１クロック分余分に読み出して格納する（ステップＳ５０７）。
【００３７】
この後、スタッフマルチフレーム生成回路１１５は、伝送中継で使用される発振部１３２の自走クロックでスタッフマルチフレーム４００を生成し、このマルチフレームのペイロードに、メモリ１１３から読み出したデータをスタッフ制御回路１１４のスタッフ制御指示に従い格納する。同時に、スタッフマルチフレーム４００のビット内のスタッフ制御ビット４１０を設定する（ステップＳ５０８）。生成されたスタッフマルチフレームデータは、送信回路１３１から伝送路１０４に送信され（ステップＳ５０９）、送信側の処理が終了する。送信されるスタッフマルチフレーム４００のビットレートは、一次群インタフェース（１．５４４Ｍｂｉｔ／ｓ）と同じ伝送速度（但し、非同期）である。
【００３８】
図６は、実施の形態１による受信側の処理を示すフローチャートである。はじめに、受信回路１５１は、伝送路１０４を介して送信されたスタッフマルチフレームデータを受信する（ステップＳ６０１）。次に、スタッフマルチフレーム検出回路１６４は、スタッフマルチフレーム４００の同期検出を行い、スタッフ制御ビット４１０を抽出する（ステップＳ６０２）。
【００３９】
次に、スタッフマルチフレーム検出回路１６４は、スタッフ制御ビット４１０の設定内容を判断し、各設定別のスタッフ制御を行う（ステップＳ６０３）。スタッフ制御ビット４１０の検出結果がスタッフ制御無しのときには（ステップＳ６０３：ＣＡＳＥ１）、スタッフマルチフレーム４００のスタッフ制御ビット４１０を除いたデータをメモリ１６２に書き込み（ステップＳ６０４）、ステップＳ６０７に移行する。一方、スタッフ制御ビット４１０の検出結果が正スタッフ制御であれば（ステップＳ６０３：ＣＡＳＥ２）、正スタッフ制御を行う。この場合、スタッフマルチフレーム４００のデータ内のスタッフ挿入ビットＪ２をメモリ１６２に書き込まずに破棄し（ステップＳ６０５）、ステップＳ６０７に移行する。また、スタッフ制御ビット４１０の検出結果が負スタッフ制御であれば（ステップＳ６０３：ＣＡＳＥ３）、負スタッフ制御を行う。この場合、スタッフマルチフレーム４００に格納されたデータを１クロック分余分にメモリ１６２に書き込み（ステップＳ６０６）、ステップＳ６０７に移行する。
【００４０】
この後、ＰＬＬ回路１６３は、メモリ１６２に書き込まれたデータ量を元にクロックを再生する（ステップＳ６０７）。そして、サブマルチフレーム検出回路１６４は、ＰＬＬ回路１６３から出力される再生クロック（１．５４４Ｍｂｉｔ／ｓ）を使用してサブマルチフレームのデータ量に値する分のデータをメモリ１６２から読み出し、サブマルチフレーム検出を行う（ステップＳ６０８）。この際、メモリ１６２に書き込まれているデータはペイロード（実データ）であるため、１．５４０Ｍｂｉｔ／ｓのクロックレートである。従って、サブマルチフレーム検出回路１６４は、メモリ１６４からのデータを間欠的に休止しながらタイムスロット（ＴＳ１〜２４）の位置を同期検出して読み出す。そして、メモリ１６２から読み出したサブマルチフレームのペイロードから実データ（内部のデータチャンネルと対局警報用転送ビットＳ）を抽出する。この後、一次群マルチフレーム再生回路１６５によって一次群インタフェースの２４マルチフレームビットを付加し、一次群インタフェースとして出力端子１０７より出力する（ステップＳ６０９）。
【００４１】
上述した実施の形態１の構成によれば、一次群インタフェースの伝送速度（１．５４４Ｍｂｉｔ／ｓ）でスタッフ制御を行え、同じ１．５４４Ｍｂｉｔ／ｓの伝送速度で独立した非同期クロックによる伝送中継が行え、後段で一次群インタフェースの再生が行えるようになる。このとき、２４チャンネルに含まれる実データを欠落させることなく、また、対局警報の情報を同時に伝送できる。これにより、電話回線を利用するＡＤＳＬ等ｘＤＳＬの伝送方式において、一次群インタフェースの伝送速度（１．５４４Ｍｂｉｔ／ｓ）によるデータ転送を、長距離（例えば、中継局から７Ｋｍまで）に渡って品質保証することができる。
【００４２】
（実施の形態２）
この発明の実施の形態２は、入力端子１０１より供給される信号が一次群インタフェース（１．５４４Ｍｂｉｔ／ｓディジタルハイアラーキインタフェース）の１２マルチフレームの場合である。実施の形態２におけるスタッフ同期制御装置の構成は、実施の形態１（図１参照）と同様である。
【００４３】
図７−１は、一次群インタフェースの１２マルチフレームを示す図表である。この１２マルチフレーム７００は、入力端子１０１から入力される信号であり、図には、２回の１２マルチフレーム（ＭＦ１〜１２）のデータ７０１，７０２と、ＭＦ１の内容を詳細に示した。一つのフレームＭＦ１は、制御用ビット（Ｆビット）２０１と、ＴＳ（１〜２４）ビットにより構成される。ＴＳ１ビットは、８ｂｉｔ（Ｂ１〜Ｂ８）により構成されている。一つのフレームＭＦ１におけるＴＳ２〜２４ビットは、ペイロードであり実データが格納される。
【００４４】
また、図７−２は、一次群インタフェースの１２マルチフレームのフォーマットを示す図表である。１２マルチフレーム（ＭＦ１〜１２）のＦビット２０１は、フレーム同期ビットＦＡＳ２０１ａと、対局警報用転送ビットＳ２０１ｂに使用される。
【００４５】
図１に記載した一次群マルチフレーム受信回路１１１にこの１２マルチフレーム（ＭＦ１〜１２）が入力され、１２マルチフレーム同期検出が行われる。この場合、１２マルチフレームの受信タイミングを２回に１回として、サブマルチフレーム生成回路１１２にデータと、マルチフレーム同期タイミングを出力する。これにより、実施の形態１（図１参照）において説明した構成をそのまま利用して１２マルチフレームに対するサブマルチフレーム化を行う。
【００４６】
受信デスタッフ部１０６においては、一次群マルチフレーム生成回路１６５において１２マルチフレーム構成の信号を生成することにより、一次群インタフェース（１．５４４Ｍｂｉｔ／ｓディジタルハイアラーキインタフェース）の１２マルチフレームの再生、出力を行う。
【００４７】
図８は、実施の形態２による送信側の処理を示すフローチャートである。はじめに、一次群マルチフレーム検出回路１１１により、一次群インタフェースの１２マルチフレームのマルチフレームの同期検出を行う（ステップＳ８０１）。次に、サブマルチフレーム生成回路１１２は、２つの１２マルチフレームビットにより構成される、２４ビットのＦビットのうち一部のビットを取り除き、わずかに低いビットレート（１．５４０Ｍｂｉｔ／ｓ）でサブマルチフレームデータを形成する（ステップＳ８０２）。この後、サブマルチフレーム生成回路１１２は、サブマルチフレームデータをメモリ１１３に書き込む（ステップＳ８０３）。
【００４８】
次に、スタッフ制御回路１１４は、メモリ１１３の書き込みデータのデータ量と、読み出しデータ量の比較を行う（ステップＳ８０４）。そして、書き込みデータのデータ量と、読み出しデータのデータ量とが一致したときには（ステップＳ８０４：ＣＡＳＥ１）、スタッフ制御を行わず（ステップＳ８０５）、ステップＳ８０８に移行する。また、書き込みデータのデータ量よりも読み出しデータのデータ量の方が多い場合には（ステップＳ８０４：ＣＡＳＥ２）、正スタッフ制御を行い（ステップＳ８０６）、ステップＳ８０８に移行する。正スタッフ制御では、スタッフマルチフレームのスタッフ挿入ビットＪ２にダミーデータを挿入する。また、書き込みデータのデータ量の方が読み出しデータのデータ量よりも多いときには（ステップＳ８０４：ＣＡＳＥ３）、負スタッフ制御を行い（ステップＳ８０７）、ステップＳ８０８に移行する。負スタッフ制御では、スタッフマルチフレームのデータ挿入ビットＪ１にメモリ１１３から１クロック分余分に読み出して格納する。
【００４９】
この後、スタッフマルチフレーム生成回路１１５は、伝送中継で使用される発振部１３２の自走クロックでスタッフマルチフレーム４００を生成し、このマルチフレームのペイロードに、メモリ１１３から読み出したデータをスタッフ制御回路１１４のスタッフ制御指示に従い格納する。同時に、スタッフマルチフレーム４００のビット内のスタッフ制御ビット４１０を設定する（ステップＳ８０８）。生成されたスタッフマルチフレームデータは、送信回路１３１から伝送路１０４に送信し（ステップＳ８０９）、送信側の処理が終了する。送信されるスタッフマルチフレーム４００のビットレートは、一次群インタフェース（１．５４４Ｍｂｉｔ／ｓ）と同じ伝送速度である。
【００５０】
図９は、実施の形態２による受信側の処理を示すフローチャートである。はじめに、受信回路１５１は、伝送路１０４を介して送信されたスタッフマルチフレームデータを受信する（ステップＳ９０１）。次に、スタッフマルチフレーム検出回路１６４は、スタッフマルチフレーム４００の同期検出を行い、スタッフ制御ビット４１０を抽出する（ステップＳ９０２）。
【００５１】
次に、スタッフマルチフレーム検出回路１６４は、スタッフ制御ビット４１０の設定内容を判断し、各設定別のスタッフ制御を行う（ステップＳ９０３）。スタッフ制御ビット４１０の検出結果がスタッフ制御無しのときには（ステップＳ９０３：ＣＡＳＥ１）、スタッフマルチフレーム４００のスタッフ制御ビット４１０を除いたデータをメモリ１６２に書き込み（ステップＳ９０４）、ステップＳ９０７に移行する。一方、スタッフ制御ビット４１０の検出結果が正スタッフ制御であれば（ステップＳ９０３：ＣＡＳＥ２）、正スタッフ制御を行う。この場合、スタッフマルチフレーム４００のデータ内のスタッフ挿入ビットＪ２をメモリ１６２に書き込まずに破棄し（ステップＳ９０５）、ステップＳ９０７に移行する。また、スタッフ制御ビット４１０の検出結果が負スタッフ制御であれば（ステップＳ９０３：ＣＡＳＥ３）、負スタッフ制御を行う。この場合、スタッフマルチフレーム４００に格納されたデータを１クロック分余分にメモリ１６２に書き込み（ステップＳ９０６）、ステップＳ９０７に移行する。
【００５２】
この後、ＰＬＬ回路１６３は、メモリ１６２に書き込まれたデータ量を元にクロックを再生する（ステップＳ９０７）。そして、サブマルチフレーム検出回路１６４は、ＰＬＬ回路１６３から出力される再生クロック（１．５４４Ｍｂｉｔ／ｓ）を使用してサブマルチフレームのデータ量に値する分のデータをメモリ１６２から読み出し、サブマルチフレーム検出を行う（ステップＳ９０８）。この際、メモリ１６２に書き込まれているデータはペイロード（実データ）であるため、１．５４０Ｍｂｉｔ／ｓのクロックレートである。従って、サブマルチフレーム検出回路１６４は、メモリ１６４からのデータを間欠的に休止しながら２つのマルチフレームのタイムスロット（ＴＳ１〜１２）の位置を同期検出して読み出す。そして、メモリ１６２から読み出したサブマルチフレームデータのペイロードから実データ（内部のデータチャンネルと対局警報用転送ビットＳ）を抽出する。この後、一次群マルチフレーム再生回路１６５によって一次群インタフェースの１２マルチフレームビットを付加し、一次群インタフェースとして出力端子１０７より出力する（ステップＳ９０９）。
【００５３】
このように、実施の形態２によれば、一次群インタフェース（１．５４４Ｍｂｉｔ／ｓディジタルハイアラーキインタフェース）の１２マルチフレームの入力をサブマルチフレーム化して伝送し、かつこれを受信して１２マルチフレームの一次群インタフェース（１．５４４Ｍｂｉｔ／ｓディジタルハイアラーキインタフェース）による出力が行えるようになる。この実施の形態２においても対局警報情報ビットＤＬ２０１ｂを用いてデータ転送の品質保証を行うことができる。
【００５４】
（実施の形態３）
次に、この発明の実施の形態３について説明する。実施の形態３は、伝送可能距離の長距離化を図るために、伝送中継装置を多段接続するものである。図１０は、この発明のスタッフ制御を行う伝送中継装置を示すブロック図である。
【００５５】
伝送中継装置１０００は、受信側の伝送中継装置１００１と、伝送デスタッフ・スタッフ部１００２と、送信側の伝送中継装置１００３とにより構成される。１００４は入力端子、１００５は出力端子である。伝送中継装置１００１は、伝送路１０４から入力された信号を受信する受信回路１０１１を備える。伝送デスタッフ・スタッフ部１００２は、スタッフマルチフレーム検出回路１０２１と、メモリ１０２２と、スタッフ制御回路１０２３と、スタッフマルチフレーム生成回路１０２４とを備える。送信側の伝送中継装置１００３は、送信回路１０３１と、伝送中継装置１００３独自の独立した発振周波数（１．５４４Ｍｂｉｔ／ｓ）の発振部１０３２とを備える。
【００５６】
伝送路１０４（図１参照）から入力端子１００４に供給される信号は、前段の伝送中継装置１０３（図１参照）から送信されたスタッフマルチフレーム信号である。このスタッフマルチフレーム信号は、受信側の伝送中継装置１００１で受信され、伝送デスタッフ・スタッフ部１００２へ入力される。伝送デスタッフ・スタッフ部１００２に入力された信号は、スタッフマルチフレーム検出回路１０２１によりスタッフマルチフレーム同期検出が行われ、スタッフ制御ビット４１０が抽出される。そして、抽出されたスタッフ制御ビット４１０により、負スタッフであれば、スタッフマルチフレームのデータ挿入ビットＪ１に格納されたデータを１クロック分余分にメモリ１０２２に書き込む。
【００５７】
一方、正スタッフであれば、スタッフ挿入ビットＪ２をメモリ１０２２に書き込まずに破棄することで、サブマルチフレームデータ（実データ）のみをメモリ１０２２に書き込むことができる。
【００５８】
スタッフ制御回路１０２３と、スタッフマルチフレーム生成回路１０２４では、メモリ１０２２に書き込まれたデータ量と、スタッフマルチフレームフォーマットからフレームビット（Ｆビット）の数ビットを省いたデータ量との比較を行う。そして、比較結果、書き込まれたデータが多い場合には、スタッフ制御を負スタッフとして、フレームビット（Ｆビット）上に用意されたデータ挿入ビットＪ１にメモリ１０２２からの読み出しを１クロック余分に読み出し挿入する。一方、書き込まれたデータが少ない場合はスタッフ制御を正スタッフとしてメモリ１０２２からの読み出しを１クロック少なくし、データ内にスタッフ挿入ビットＪ２を挿入する。これらにより、メモリ１０２２のメモリ量を調整するとともに、読み出されたサブマルチフレームデータをスタッフマルチフレーム４００のフォーマット内にスタッフ多重することが可能となる。
【００５９】
スタッフマルチフレーム生成回路１０２４では、スタッフ制御回路１０２３により判定されたスタッフ制御信号を含んだスタッフマルチフレーム４００を、送信側の伝送中継装置１００３に設けられた発振部１０３２の自走クロック（１．５４４Ｍｂｉｔ／ｓ）で生成し、伝送路１０４に送信する。
【００６０】
以上説明したように、実施の形態３によれば、スタッフマルチフレームを中継する際に、伝送中継装置が有する独自のクロックに載せ換えるとき、スタッフ制御を再度実行する。このようにして伝送中継装置を多段接続することにより、伝送距離を長距離化でき、データ伝送を品質向上できるようになる。また、この伝送中継装置１０００は、ＰＬＬ回路を用いる必要がないので、ハードウェア規模を削減しつつ、伝送遅延時間を最低限にし非同期クロック間でスタッフマルチフレームの中継が行えるようになる。
【００６１】
（実施の形態４）
次に、この発明の実施の形態４は、上述した実施の形態１〜３における伝送路中継の各区間ごとの信号品質と、全区間を通しての信号品質を容易に確認するための構成である。実施の形態４で使用するサブマルチフレームは、上述した実施の形態１において説明したサブマルチフレーム３００（図３−１参照）と同様であり、説明を省略する。また、実施の形態４におけるスタッフ同期制御装置の基本構成についても、実施の形態１（図１参照）と同様であり、図１を用いて特徴的な構成について説明する。
【００６２】
図１１−１は、実施の形態４におけるサブマルチフレームフォーマットの一例を示す図表である。図１記載のサブマルチフレーム生成回路１１２は、図３−１に記載したサブマルチフレーム３００について、図１１−１に示したフォーマットを有する。フレームビット（Ｆビット）３０１ａとして、６ビットのフレーム同期ビットＦＡＳ１１０１と、６ビットのＣＲＣ１１０２を割り当てる。ＣＲＣ１１０２は、例えば、サブマルチフレームの１マルチフレーム前の全てのビットと、Ｆビットを“１”とした場合の所定のエラーレート算出式（例えば、ＣＲＣ−６）による計算結果が格納される。また、図１に記載のスタッフマルチフレーム生成回路１１５が生成するスタッフマルチフレーム４００は、図４−１と同様である。
【００６３】
図１１−２は、実施の形態４におけるスタッフマルチフレーム１１１０のフォーマットを示す図表である。スタッフマルチフレーム生成回路１１５は、図１１−２に示すように、生成するスタッフマルチフレームフレームビット（Ｆビット１１１１）に、サブマルチフレーム３００と同様に、６ビットのフレーム同期信号ＦＡＳ１１１１ａと、６ビットのＣＲＣ１１１１ｃ（スタッフマルチフレームの１マルチフレーム前の全てのビットとＦビットを“１”とした場合のＣＲＣ−６等によるエラーレート算出結果）を割り当てる。図示のスタッフ制御ビット１１１１ｂは、上述した実施の形態１同様に、Ｃ１１，Ｃ１２，Ｃ２１，Ｃ２２，ＰＣ、Ｊ１の計１２ビットで構成することができる。この他、図示のように、Ｃ１，Ｃ２，Ｐ１，Ｐ２，Ｊ１（Ｐ３）と、不使用のＤと、対局警報用転送ビットＳとにより構成することもできる。図１１−２の構成例では、２回のスタッフ制御を行い、１回目のスタッフ制御の制御結果１１１２ａと、２回目のスタッフ制御の制御結果１１１２ｂをそれぞれ格納する。
【００６４】
上述した実施の形態１において説明した、図２−２のスタッフマルチフレームフォーマットでは、１回のスタッフ制御において、スタッフ制御ビット（Ｃ１１，Ｃ１２，Ｃ２１，Ｃ２２，ＰＣ）と、データ挿入ビット（Ｊ１）の計６ビットのフレームビット（Ｆビット２０１）を使用していた。しかし、実施の形態４の如く、ＣＲＣ１１０２などにフレームビット（Ｆビット１１１１）を使用する機能が増えたときであっても、対局警報用転送ビットＳとして１ビットの領域を確保するには、スタッフ制御ビットを５ビット以下にする必要がある。
【００６５】
図１２は、実施の形態４において用いるスタッフ制御ビットの設定例を示す図表である。送信側のスタッフ制御回路１１４（図１参照）は、Ｃ１，Ｃ２をスタッフ制御ビット１１１１ｂとして用いる。これらスタッフ制御ビット１１１１ｂのＣ１，Ｃ２が“１０”のときは正スタッフ制御、“１１”のときはスタッフ無し制御、“００”のときは負スタッフ制御を表す。Ｐ１はＣ１、Ｃ２との奇パリティを表す。Ｐ２はＣ１の奇パリティを表す。Ｐ３はＣ２の奇パリティを表す。そして、Ｐ３は、負スタッフ時はデータ挿入ビットＪ１として用いる。これにより、５ビットを用いてスタッフ制御ビット（Ｃ１１，Ｃ１２，Ｃ２１，Ｃ２２，ＰＣ）１１１１ｂと、データ挿入ビットＪ１に利用することができる。１ビットの余裕分は、対局警報用転送ビットＳとして用いることができ、データ転送の品質保持が行えるようになる。
【００６６】
図１３は、図１２に示したスタッフ制御ビットを用いたスタッフ判定処理を示すフローチャートである。受信側のＰＬＬ回路１６３におけるスタッフ制御の処理内容を示した。受信側では、スタッフ制御ビット４１０が１ビット以下の誤りが発生しても、スタッフ制御を誤らずに制御する必要がある。なお、下記の処理では、５ビット中２ビット以上の誤りはないことを条件としている。
【００６７】
はじめに、スタッフ制御ビット４１０のＰ１が正常であれば（ステップＳ１３０１：Ｙｅｓ）、Ｃ１，Ｃ２はいずれも正常と決定する（ステップＳ１３０２）。そして、Ｃ１，Ｃ２の値が“１０”のときは正スタッフ制御と判断し、“１１”のときはスタッフ無し制御とし、“００”のときは負スタッフ制御と判定し終了する。Ｐ１が正常でなければ（異常時）は（ステップＳ１３０１：Ｎｏ）、ステップＳ１３０３に移行し、処理を終了する。
【００６８】
ステップＳ１３０３では、Ｐ２が正常であれば（ステップＳ１３０３：Ｙｅｓ）、Ｃ１が正常（正しい値）と決定し（ステップＳ１３０４）、ステップＳ１３０６に移行する。Ｐ２が異常であれば（ステップＳ１３０３：Ｎｏ）、Ｃ１は誤っていると判断し、Ｃ１の値を反転した値をＣ１として決定し（ステップＳ１３０５）、ステップＳ１３０６に移行する。ステップＳ１３０６では、Ｃ１の値が“０”であれば（ステップＳ１３０６：Ｙｅｓ）、負スタッフ制御と判断し（ステップＳ１３０７）、処理を終了する。また、Ｃ１の値が“１”であれば（ステップＳ１３０６：Ｎｏ）、ステップＳ１３０８に移行する。
【００６９】
ステップＳ１３０８では、Ｐ３が正常であれば（ステップＳ１３０８：Ｙｅｓ）、Ｃ２は正常（正しい値）と決定し（ステップＳ１３０９）、ステップＳ１３１１に移行する。また、Ｐ３が異常であれば（ステップＳ１３０８：Ｎｏ）、Ｃ２は誤っていると判断し、Ｃ２の値を反転した値をＣ２として決定し（ステップＳ１３１０）、ステップＳ１３１１に移行する。ステップＳ１３１１では、Ｃ２の値が“０”であれば（ステップＳ１３１１：Ｙｅｓ）、正スタッフ制御と判断し（ステップＳ１３１２）、処理を終了する。また、Ｃ２の値が“０”でなければ（ステップＳ１３１１：Ｎｏ）、スタッフ無し制御と判断し（ステップＳ１３１３）、処理を終了する。
【００７０】
実施の形態４によれば、上述したＣＲＣ１１１１ｃを付加することにより、スタッフマルチフレーム検出回路１６１（図１参照）や、伝送中継装置を多段に接続したスタッフマルチフレーム検出回路１０２１（図１０参照）では、スタッフマルチフレーム４００のＣＲＣ１１０２の値を用いた計算によりエラーレート算出を行える。これにより、各伝送区間における個別の信号品質を確認できるようになる。
【００７１】
また、伝送路１０４の最終段に設けられるサブマルチフレーム検出回路１６４（図１参照）では、サブマルチフレーム４００のＣＲＣ１１０２の計算によるエラーレート算出が可能となる。これにより、伝送路１０４の全中継区間を通しての信号品質を確認できるようになる。
【００７２】
上記実施の形態４ではＣＲＣを用いて信号品質を確認する構成としたが、ＣＲＣを用いる以外にも、フレームビット（Ｆビット１１１１）に、１１ビットのフレーム同期信号と、１ビットのパリティビットをそれぞれ割り当てて、サブマルチフレームとスタッフマルチフレームを生成し、信号品質を確認することもできる。
【００７３】
（データ中継システムに構成について）
図１４は、この発明のスタッフ同期制御装置を用いたデータ中継システムの全体構成を示すブロック図である。図１４には、通信端末から伝送中継端局装置、伝送路、中継装置を介して他の通信端末に至るまでのデータ中継システムを記載してある。
【００７４】
通信端末Ａ１４０１から送信されたデータは、端局多重装置Ａ１４０２で一次群インタフェース（１．５４４ＭＨｚ）に多重される。この端局多重装置Ａ１４０２は、相手側の端局多重装置Ｂ１４０６に対して、一次群インタフェースでデータの送受を行うことで、相手側の通信端末Ｂ１４０７にデータを伝送する。端局多重装置Ｂ１４０６は、端局多重装置Ａに同期してデータを通信端末Ｂに出力する。
【００７５】
端局多重装置Ａ１４０２と、端局多重装置Ｂ１４０６との間を直接接続した場合には、最大４００ｍ程度が通信可能な限度となる。伝送路１０４の区間Ｌに光通信や、ｘＤＳＬ通信などを用いて中継可能な伝送距離を伸ばす構成とする。このため、端局多重装置Ａ１４０２と、端局多重装置Ｂ１４０６とのインタフェース間に、伝送中継端局装置Ａ１４０３と、複数の中継装置１４０４（１４０４ａ，１４０４ｂ，１４０４ｃ）と、伝送中継端局装置Ｂ１４０５を配置したデータ中継システムを構築する。
【００７６】
（送信側の伝送中継端局装置について）
送信側の伝送中継端局装置Ａ１４０３は、上述した送信スタッフ部１０２（図１参照）を有している。一次群マルチフレーム検出回路１１１では、端局多重装置Ａ１４０２からの一次群インタフェース（２４マルチフレームまたは１２マルチフレーム）を受信する。そして、あらかじめ設定された構成に従い、２４マルチフレームのマルチフレーム同期タイミング、あるいは１２マルチフレームの２マルチフレーム同期タイミングをサブマルチフレーム生成回路１１２にデータとともに出力する。また、それぞれのフォーマットから対局警報情報ビットＤＬを検出し、次段の中継装置１４０４（１４０４ａ〜１４０４ｃ）に順次転送するために、対局警報用転送ビットＳをスタッフマルチフレーム生成回路１１５に出力する。一次群インタフェースの２４マルチフレーム２００は、図２−１および図２−２と同様であり、１２マルチフレーム７００は、図７−１および図７−２と同様である。
【００７７】
サブマルチフレーム生成回路１１２は、元来のマルチフレームのＦビットに対し、２フレームに１ビット（計１２ビット）で６ビットの“００１０１１“からなるサブマルチフレーム用のフレーム同期信号（ＦＡＳ）と、６ビットのＣＲＣビット（ｅ１，ｅ２，ｅ３，ｅ４，ｅ５，ｅ６）を割り当てる。元来、マルチフレームビットのうちに残った１２ビットは、次のメモリ１１３に書き込まないので、実質１．５４０Ｍｂｉｔ／ｓのサブマルチフレームが構成される。サブマルチフレーム生成回路１１２が生成するサブマルチフレーム３００は、図３−１および図１１−１と同様である。
【００７８】
スタッフマルチフレーム生成回路１１５では、ラインドライバ（ＬＩＮＥ  ＤＲＩＶＥＲ）１４０３ａで使用する発振器１４０３ｂのクロックに基づいて、スタッフマルチフレームを自走し生成する。ここでは１フレームを３８５ビットとして２４マルチフレームの構成にすることで、フレームビット２４ビットからなるスタッフマルチフレームを構成する。スタッフマルチフレーム４００は、図４−１および図１１−２と同様である。
【００７９】
図１１−２に示すように、スタッフマルチフレームフォーマットは、６ビットの“００１０１１“からなるスタッフマルチフレーム用のフレーム同期ビットＦＡＳ１１１１ａと、６ビットのＣＲＣ（ｅ１，ｅ２，ｅ３，ｅ４，ｅ５，ｅ６）１１１１ｃと、２４マルチフレーム中２回スタッフ制御を行う（６×２ビット（Ｃ１，Ｃ２，Ｐ１，Ｐ２，Ｐ３／Ｊ１）ためのスタッフ制御ビット１１１１ｂ（対局警報用転送ビットＳを含む）とを、フレームビット（Ｆビット１１１１）として割り当てる。このスタッフ制御ビット１１１１ｂの設定例は図１２と同様である。特に、Ｐ３は、Ｃ２の奇パリティを表すが、負スタッフ時は、データ挿入ビットＪ１として用いられる。また、図４−１に示すように、１２マルチフレーム目と、２４マルチフレーム目の最初のビットは、正スタッフ時のダミーデータを格納するスタッフ挿入ビットＪ２として用いる。また、不使用であるＤビットは、伝送中継端局装置Ａ１４０３と、中継装置１４０４間で何らかの情報をやり取りするのに使用することも可能である。
【００８０】
スタッフ制御回路１１４は、メモリ１１３に書き込まれたデータ量と、スタッフマルチフレーム生成回路１１５で生成されたスタッフマルチフレームフォーマットからフレームビットを除いたデータ量との比較を行う。そして、書き込まれたデータが多い場合は、スタッフ制御を負スタッフとして、フレームビット上に用意されたデータ挿入ビットＪ１にメモリ１１３からの読み出しを１クロック余分に読み出して挿入する。一方、書き込まれたデータが少ない場合はスタッフ制御を正スタッフとしてメモリ１１３からの読み出しを１クロック少なくし、データ内のスタッフ挿入ビットＪ２にダミーデータを挿入することでメモリ１１３量を調整するとともに、読み出されたサブマルチフレームデータをスタッフマルチフレームフォーマット内にスタッフ多重する。
【００８１】
サブマルチフレームデータがスタッフマルチフレームでスタッフ多重された信号は、ＬＩＮＥ  ＤＲＩＶＥＲ１４０３ａで使用するクロックで動作しているため、ＬＩＮＥ  ＤＲＩＶＥＲ１４０３ａは、入力されたディジタルデータを、光信号や、ｘＤＳＬ信号など長距離伝送信号に問題なく変調でき、次段の中継装置１４０４ａ，１４０４ｂ，１４０４ｃ、または伝送中継端局装置Ｂ１４０５に対して送信することができる。
【００８２】
（中継装置について）
中継装置１４０４として一つの中継装置１４０４ａを用いて説明する。この中継装置１４０４ａは、受信側に配置されたラインレシーバ（ＬＩＮＥ  ＲＥＣＥＩＶＥＲ）１４１０と、送信側に配置されたラインドライバ（ＬＩＮＥ  ＤＲＩＶＥＲ）１４１１と、これらラインレシーバ１４１０と、ラインドライバ１４１１との間に配置された伝送中継スタッフ部１４１２によって構成されている。ラインレシーバ（ＬＩＮＥ  ＲＥＣＥＩＶＥＲ）１４１０は、伝送路１０４から受信した光信号や、ｘＤＳＬ信号などの変調信号を、ディジタルデータに復調し、抽出されたクロックと共に伝送中継スタッフ部１４１２のスタッフマルチフレーム検出回路１４１３に出力する。
【００８３】
伝送中継スタッフ部１４１２に設けられているスタッフマルチフレーム検出回路１４１３は、スタッフマルチフレーム同期検出を行い、スタッフ制御ビットを抽出する。検出されたスタッフ制御ビットにより負スタッフであれば、スタッフマルチフレームビット内に格納されたデータを１クロック分余分にメモリ１４１４に書き込む。また、正スタッフであればスタッフ挿入ビットＪ２をメモリ１４１４に書き込まずに破棄することで、サブマルチフレームデータのみをメモリ１４１４に書き込む。また、スタッフマルチフレームビット内のＣＲＣ１１１１ｃ（図１１−２参照）により、スタッフマルチフレームデータのＣＲＣ計算を行ってエラーレート算出し、所定の閾値を超えたときには、中継区間の信号品質アラームを発生させる。また、スタッフマルチフレームビット内の対局警報用転送ビットＳを抽出し、次段の中継装置１４０４ｂに転送するため、スタッフマルチフレーム生成回路１４１６に出力する。
【００８４】
この伝送中継スタッフ部１４１２に設けたメモリ１４１４と、スタッフ制御回路１４１５と、スタッフマルチフレーム生成回路１４１６の構成および動作は、伝送中継端局装置Ａ１４０３の動作と同じである。
【００８５】
この伝送中継スタッフ部１４１２によって再びサブマルチフレームデータがスタッフマルチフレームでスタッフ多重された信号は、ＬＩＮＥ  ＤＲＩＶＥＲ１４１１で使用するクロック（１．５４４ＭＨｚ）で動作しているため、ＬＩＮＥ  ＤＲＩＶＥＲ１４１１は、入力されたディジタルデータを、光信号やｘＤＳＬ信号など長距離伝送信号に問題なく変調でき、次段の中継装置１４０４ｂ，１４０４ｃや、伝送中継端局装置Ｂ１４０５に対して送信することができる。
【００８６】
（受信側の伝送中継端局装置について）
受信側の伝送中継端局装置Ｂ１４０５は、受信側にラインレシーバ（ＬＩＮＥ  ＲＥＣＥＩＶＥＲ）１４２１を備える。このラインレシーバ１４２１は、伝送路１０４から受信した光信号や、ｘＤＳＬ信号などの変調信号を、ディジタルデータに復調し、抽出されたクロックと共に受信デスタッフ部１０６に出力する。受信デスタッフ部１０６の構成は図１と同様である。
【００８７】
受信デスタッフ部１０６に設けられるスタッフマルチフレーム検出回路１６１は、スタッフマルチフレーム同期検出を行い、スタッフ制御ビットを抽出する。検出されたスタッフ制御ビットにより負スタッフであれば、スタッフマルチフレームビット内に格納されたデータを１クロック分余分にメモリ１６２に書き込む。また、正スタッフであればスタッフ挿入ビットＪ２をメモリ１６２に書き込まずに破棄する。これにより、サブマルチフレームデータのみをメモリ１６２に書き込む。また、スタッフマルチフレームビット内のＣＲＣ１１１１ｃ（図１１−２参照）により、スタッフマルチフレームデータのＣＲＣ計算を行い、エラーレート算出し、所定の閾値を超えたときには、中継区間の信号品質アラームを発生させる。また、スタッフマルチフレームビット内の対局警報用転送ビットＳを抽出し、一次群インタフェースで対局警報転送情報を端局多重装置Ｂ１４０６に送信するために、一次群マルチフレーム再生回路１６５に出力する。
【００８８】
ＰＬＬ回路１６３は、受信したスタッフ制御ビットの正スタッフ、負スタッフ、スタッフ無しの制御により抽出され、サブマルチフレームデータのデータ量を元に、位相比較を行い、伝送中継端局装置Ａ１４０３に入力された一次群インタフェース（１．５４４Ｍｂｉｔ／ｓディジタルハイアラーキインタフェース）のクロックを再生する。
【００８９】
サブマルチフレーム検出回路１６４は、上記の再生クロックでサブマルチフレームデータ量に値する分のみをメモリ１６２から信号を読み出す。メモリ１６２から読み出したサブマルチフレームデータは、サブマルチフレーム検出回路１６４によって内部のデータチャンネルが抽出され、一次群マルチフレーム再生回路１６５によって、あらかじめ設定された構成に従い２４マルチフレーム、あるいは１２マルチフレームのフレームビットを付加して端局多重装置Ｂ１４０６へ送信する。
【００９０】
上記のデータ中継システムによれば、伝送路１０４の長さに応じて所要の距離ごとに中継装置１４０４を配置し、これらを多段に接続することにより、区間Ｌの伝送可能距離を伸ばすことができるようになる。また、実データと共に、ＣＲＣや対局警報用転送ビットＳを転送することができるため、障害発生時には直ちに警報を出力でき、データ伝送の品質向上を図ることができるようになる。
【００９１】
以上説明したように、スタッフ同期制御装置、中継装置、データ中継システムおよびスタッフ同期制御方法によれば、入力された一次群インタフェースのデータ全チャンネルを、独立した非同期クロックを用いて一次群インタフェースの伝送速度１．５４４Ｍｂｉｔ／ｓと同一の伝送速度で伝送することができ、後段では入力された一次群インタフェースの再生が行えるようになる。そして、限定されたフレームビット領域を有効に利用してスタッフ制御を行うため、独立した非同期クロックを有する伝送中継が可能となる。特に、全チャンネルの実データと共に、対局警報等の情報を伝送することができ、データ伝送の品質向上を図ることができる。
【００９２】
なお、本実施の形態で説明したスタッフ同期制御方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００９３】
（付記１）入力される一次群インタフェースの所定数のマルチフレームの同期検出を行う一次群マルチフレーム検出手段と、
前記一次群マルチフレーム検出手段により検出された前記マルチフレームのフレームビットをフレーム同期ビットに割り当て、前記一次群インタフェースのビットレートに対して低いビットレートでサブマルチフレームを生成するサブマルチフレーム生成手段と、
前記サブマルチフレーム生成手段により生成されたサブマルチフレームを多重してスタッフマルチフレームを生成するスタッフマルチフレーム生成手段と、
前記スタッフマルチフレーム生成手段により生成されたスタッフマルチフレームを伝送路に送信する送信手段と、を備え、
前記スタッフマルチフレーム生成手段は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成することを特徴とするスタッフ同期制御装置。
【００９４】
（付記２）伝送路を介して受信したスタッフマルチフレームの同期検出を行い、スタッフ制御ビットを抽出するスタッフマルチフレーム検出手段と、
前記スタッフマルチフレーム検出手段により抽出されたスタッフ制御ビットが示すスタッフ制御情報に対応したデスタッフ化を行い、サブマルチフレームを同期検出して当該サブマルチフレームの実データを取り出すサブマルチフレーム検出手段と、
前記サブマルチフレーム検出手段により検出されたサブマルチフレームに、前記一次群インタフェースの所定数のマルチフレームのデータチャンネルの位置の情報と、対局警報転送情報とを付加して前記一次群マルチフレームを再生する一次群マルチフレーム再生手段と、
を備えたことを特徴とするスタッフ同期制御装置。
【００９５】
（付記３）前記一次群マルチフレーム検出手段には、一次群インタフェースの２４マルチフレームの信号が入力されることを特徴とする付記１に記載のスタッフ同期制御装置。
【００９６】
（付記４）前記一次群マルチフレーム検出手段には、一次群インタフェースの１２マルチフレームの信号が入力され、
前記サブマルチフレーム生成手段は、前記１２マルチフレームの２つ分のフレームビットを用いてサブマルチフレームを生成することを特徴とする付記１に記載のスタッフ同期制御装置。
【００９７】
（付記５）伝送路を介してスタッフマルチフレームを受信する受信手段と、
前記受信手段により受信された所定数のスタッフマルチフレームのフレームビットの情報を抽出するスタッフマルチフレーム検出手段と、
前記スタッフマルチフレーム検出手段により検出された前記スタッフマルチフレームを前記一次群インタフェースと同一のビットレートであって独立した非同期クロックに基づいて再スタッフマルチフレーム化するスタッフマルチフレーム生成手段と、
前記スタッフマルチフレーム生成手段により生成されたスタッフマルチフレームを伝送路に送信する送信手段と、
を備えたことを特徴とする中継装置。
【００９８】
（付記６）前記伝送路の所定距離ごとに前記中継装置を複数配置したことを特徴とする付記５に記載の中継装置。
【００９９】
（付記７）送信側の伝送中継端局装置と、伝送路上に設けられる中継装置と、受信側の伝送中継端局装置とを備え、スタッフ同期制御を行いスタッフマルチフレームを伝送するデータ中継システムにおいて、
前記送信側の伝送中継端局装置は、
入力される一次群インタフェースの所定数のマルチフレームの同期検出を行う一次群マルチフレーム検出手段と、
前記一次群マルチフレーム検出手段により検出された前記マルチフレームのフレームビットをフレーム同期ビットに割り当て、前記一次群インタフェースのビットレートに対して低いビットレートでサブマルチフレームを生成するサブマルチフレーム生成手段と、
前記サブマルチフレーム生成手段により生成されたサブマルチフレームを多重してスタッフマルチフレームを生成するスタッフマルチフレーム生成手段と、
前記スタッフマルチフレーム生成手段により生成されたスタッフマルチフレームを伝送路に送信する送信手段とを備え、
前記スタッフマルチフレーム生成手段は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成するものであり、
前記中継装置は、
前記伝送路を介して前記送信側の伝送中継端局装置から送信された前記スタッフマルチフレームを受信する受信手段と、
前記受信手段により受信された所定数のスタッフマルチフレームのフレームビットの情報を抽出するスタッフマルチフレーム検出手段と、
前記スタッフマルチフレーム検出手段により検出された前記スタッフマルチフレームを前記一次群インタフェースと同一のビットレートであって独立した非同期クロックに基づいて再スタッフマルチフレーム化するスタッフマルチフレーム生成手段と、
前記スタッフマルチフレーム生成手段により生成されたスタッフマルチフレームを伝送路に送信する送信手段とを備え、
前記受信側の伝送中継端局装置は、
前記伝送路を介して前記中継装置から送信されたスタッフマルチフレームの信号を受信して当該スタッフマルチフレームの同期検出を行い、スタッフ制御ビットを抽出するスタッフマルチフレーム検出手段と、
前記スタッフマルチフレーム検出手段により抽出されたスタッフ制御ビットが示すスタッフ制御情報に対応したデスタッフ化を行い、サブマルチフレームを同期検出して当該サブマルチフレームの実データを取り出すサブマルチフレーム検出手段と、
前記サブマルチフレーム検出手段により検出されたサブマルチフレームに、前記一次群インタフェースの所定数のマルチフレームのデータチャンネルの位置の情報と、対局警報転送情報とを付加して前記一次群マルチフレームを再生する一次群マルチフレーム再生手段と、
を備えたことを特徴とするデータ中継システム。
【０１００】
（付記８）前記送信側および受信側に設けられる伝送中継端局装置と、前記中継装置は、前記サブマルチフレームと、前記スタッフマルチフレームの各マルチフレームの前記フレームビットにエラー検出用の情報を割り当てることを特徴とする付記７に記載のデータ中継システム。
【０１０１】
（付記９）前記送信側および受信側に設けられる伝送中継端局装置と、前記中継装置は、前記フレームビットに割り当てられる前記スタッフ制御ビットの一部を、当該スタッフ制御の結果が負スタッフ時のデータ挿入ビットとして用いることを特徴とする付記８に記載のデータ中継システム。
【０１０２】
（付記１０）入力される一次群インタフェースの所定数のマルチフレームの同期検出を行う一次群マルチフレーム検出工程と、
前記一次群マルチフレーム検出工程により検出された前記マルチフレームのフレームビットをフレーム同期ビットに割り当て、前記一次群インタフェースのビットレートに対して低いビットレートでサブマルチフレームを生成するサブマルチフレーム生成工程と、
前記サブマルチフレーム生成工程により生成されたサブマルチフレームを多重してスタッフマルチフレームを生成するスタッフマルチフレーム生成工程と、
前記スタッフマルチフレーム生成工程により生成されたスタッフマルチフレームを伝送路に送信する送信工程と、を含み、
前記スタッフマルチフレーム生成工程は、前記スタッフマルチフレームのフレームビットに、前記フレーム同期情報のビットと、スタッフ制御情報のビットと、当該スタッフ制御の負スタッフ時のデータ挿入ビットを割り当て、前記一次群インタフェースと同一のビットレートであって独立した非同期クロックで前記スタッフマルチフレームを生成することを特徴とするスタッフ同期制御方法。
【０１０３】
（付記１１）伝送路を介して受信したスタッフマルチフレームの同期検出を行い、スタッフ制御ビットを抽出するスタッフマルチフレーム検出工程と、
前記スタッフマルチフレーム検出工程により抽出されたスタッフ制御ビットが示すスタッフ制御情報に対応したデスタッフ化を行い、サブマルチフレームを同期検出して当該サブマルチフレームの実データを取り出すサブマルチフレーム検出工程と、
前記サブマルチフレーム検出工程により検出されたサブマルチフレームに、前記一次群インタフェースの所定数のマルチフレームのデータチャンネルの位置の情報と、対局警報転送情報とを付加して前記一次群マルチフレームを再生する一次群マルチフレーム再生工程と、
を含むことを特徴とするスタッフ同期制御方法。
【産業上の利用可能性】
【０１０４】
以上のように、本発明にかかるスタッフ同期制御装置、中継装置、データ中継システムおよびスタッフ同期制御方法は、一次群インタフェースの伝送速度によるデータ転送に有用であり、特に、伝送速度を維持してスタッフ制御に必要な情報を同時に転送でき、データ転送を保証するｘＤＳＬ等の伝送路の伝送中継装置の用途に適している。
【図面の簡単な説明】
【０１０５】
【図１】この発明のスタッフ同期制御装置の構成を示すブロック図である。
【図２−１】一次群インタフェースの２４マルチフレームを示す図表である。
【図２−２】一次群インタフェースの２４マルチフレームのフォーマットを示す図表である。
【図３−１】サブマルチフレームを示す図表である。
【図３−２】サブマルチフレームフォーマットを示す図表である。
【図４−１】スタッフマルチフレームの一例を示す図表である。
【図４−２】スタッフマルチフレームフォーマットの一例を示す図表である。
【図４−３】スタッフ制御ビットに割り当てるスタッフ制御結果の一例を示す図表である。
【図５】実施の形態１による送信側の処理を示すフローチャートである。
【図６】実施の形態１による受信側の処理を示すフローチャートである。
【図７−１】一次群インタフェースの１２マルチフレームを示す図表である。
【図７−２】一次群インタフェースの１２マルチフレームのフォーマットを示す図表である。
【図８】実施の形態２による送信側の処理を示すフローチャートである。
【図９】実施の形態２による受信側の処理を示すフローチャートである。
【図１０】この発明のスタッフ制御を行う伝送中継装置を示すブロック図である。
【図１１−１】実施の形態４におけるサブマルチフレームフォーマットの一例を示す図表である。
【図１１−２】実施の形態４におけるスタッフマルチフレームのフォーマットを示す図表である。
【図１２】実施の形態４において用いるスタッフ制御ビットの設定例を示す図表である。
【図１３】図１２に示したスタッフ制御ビットを用いたスタッフ判定処理を示すフローチャートである。
【図１４】この発明のスタッフ同期制御装置を用いた中継システムの全体構成を示すブロック図である。
【符号の説明】
【０１０６】
１０１  入力端子
１０２  送信スタッフ部
１０３  伝送中継装置（送信側）
１０４  伝送路
１０５  伝送中継装置（受信側）
１０６  受信デスタッフ部
１０７  出力端子
１１１  一次群マルチフレーム検出回路
１１２  サブマルチフレーム生成回路
１１３  メモリ
１１４  スタッフ制御回路
１１５  スタッフマルチフレーム生成回路
１６１  スタッフマルチフレーム検出回路
１６２  メモリ
１６３  ＰＬＬ回路
１６４  サブマルチフレーム検出回路
１６５  一次群マルチフレーム再生回路
１４０１  通信端末Ａ
１４０２  端局多重装置Ａ
１４０３  伝送中継端局装置Ａ
１４０３ａ，１４１１  ＬＩＮＥ  ＤＲＩＶＥＲ
１４０４  中継装置
１４０５  伝送中継端局装置Ｂ
１４０６  端局多重装置Ｂ
１４０７  通信端末Ｂ
１４１０，１４２１  ＬＩＮＥ  ＲＥＣＥＩＶＥＲ
１４１３  スタッフマルチフレーム検出回路
１４１４  メモリ
１４１５  スタッフ制御回路
１４１６  スタッフマルチフレーム生成回路
【図１】
2006005862.tif 000003
【図２−１】
2006005862.tif 000004
【図２−２】
2006005862.tif 000005
【図３−１】
2006005862.tif 000006
【図３−２】
2006005862.tif 000007
【図４−１】
2006005862.tif 000008
【図４−２】
2006005862.tif 000009
【図４−３】
2006005862.tif 000010
【図５】
2006005862.tif 000011
【図６】
2006005862.tif 000012
【図７−１】
2006005862.tif 000013
【図７−２】
2006005862.tif 000014
【図８】
2006005862.tif 000015
【図９】
2006005862.tif 000016
【図１０】
2006005862.tif 000017
【図１１−１】
2006005862.tif 000018
【図１１−２】
2006005862.tif 000019
【図１２】
2006005862.tif 000020
【図１３】
2006005862.tif 000021
【図１４】
2006005862.tif 000022